(57)【要約】【課題】押しボタン式開閉装置が具備される自動ポップアップ装置を洗面台に施工する際に、ポップアップ装置と排水トラップとを固定する固定ナットの固定または解体作業が困難で、施工、取替え、異物の除去及び洗浄作業が難しい問題点を解決すること。【解決手段】洗面器に設置され、上端部には洗面器に形成された排水孔に密着される係止突起が形成され、中間部分の左右両側にはそれぞれ横方向に穿孔されて、洗面器の底面部に設置されたオーバーフロー通路と連通される排水空間部が形成される排水管が具備され、下部には洗面器の下部に設置された排水トラップと締結される下水管が結合されるポップアップ装置の設置構造において、前記係止突起の下端に密着されるように嵌合され、係止突起と対応する直径で形成される密着部と、前記密着部の底面から排水孔に対応する直径で延長されて形成される延長部と、前記延長部の下端の外周面に漏水を遮断するために形成される蛇腹部とを含んで構成される密着部材と；前記排水管の下部に嵌合され、排水管に対応する直径で形成されて、外周面に複数の蛇腹が形成される密閉部材と；を含んで構成され、前記密着部材を前記係止突起の下端に密着されるように嵌合し、前記密閉部材を排水管の下部に嵌合した状態で、前記排水孔に堅固に結合することを特徴とする洗面器用ポップアップ装置の設置構造及び設置方法。【選択図】図１０
2015507113.tif 000002
【特許請求の範囲】
【請求項１】
洗面器に設置され、上端部には洗面器に形成された排水孔に密着される係止突起が形成され、中間部分の左右両側にはそれぞれ横方向に穿孔され、洗面器の底面部に設置されたオーバーフロー通路と連通される排水空間部が形成される排水管が具備され、下部には洗面器の下部に設置された排水トラップと締結される下水管が結合されるポップアップ装置の設置構造において、
前記係止突起の下端に密着されるように嵌合され、係止突起に対応する直径で形成される密着部と、前記密着部の底面から排水孔に対応する直径で延長されて形成される延長部と、前記延長部の下端の外周面に漏水を遮断するために形成される蛇腹部とを含んで構成される密着部材と；
前記排水管の下部に嵌合され、排水管と対応する直径で形成されて、外周面に複数の蛇腹が形成される密閉部材と；を含んで構成され、
前記密着部材を前記係止突起の下端に密着されるように嵌合し、前記密閉部材を排水管の下部に嵌合した状態で、前記排水孔に堅固に挿入することを特徴とする洗面器用ポップアップ装置の設置構造。
【請求項２】
前記密着部材と密閉部材は、その間に連結部と一体型に形成されていることを特徴とする請求項１に記載の洗面器用ポップアップ装置の設置構造。
【請求項３】
前記連結部は、排水空間部と連通されるように対応される位置に排水溝が形成されていることを特徴とする請求項２に記載の洗面器用ポップアップ装置の設置構造。
【請求項４】
洗面器に設置され、上端部には洗面器に形成された排水孔に密着される係止突起が形成され、中間部分の左右両側にはそれぞれ横方向に穿孔され、洗面器の底面部に設置されたオーバーフロー通路と連通される排水空間部が形成される排水管が具備され、下部には洗面器の下部に設置された排水トラップと締結される下水管が結合されるポップアップ装置の設置方法において、
洗面器の下部に設置された排水トラップと下水管を結合する段階と；
前記下水管を洗面器に形成された排水孔を貫通するように引いて洗面器の内部に位置させる段階と；
前記係止突起に対応する直径で形成される密着部と、前記密着部の底面から排水孔に対応する直径で延長されて形成される延長部と、前記延長部の下端の外周面に漏水を遮断するために形成される蛇腹部とを含んで構成される密着部材とを前記係止突起の下端に嵌合する段階と；
前記排水管と対応する直径で形成されて、外周面に複数の蛇腹が形成される密閉部材を前記排水管の下部に嵌合する段階と；
前記排水管と下水管を結合した後、排水孔に堅固に挿入する段階と；で構成されうることを特徴とする洗面器用ポップアップ装置の設置方法。
【発明の詳細な説明】
【技術分野】
【０００１】
本発明は洗面器用ポップアップ装置の設置構造及び設置方法に関するもので、洗面器に設置され、上端部には洗面器に形成された排水孔に密着される係止突起が形成され、中間部分の左右両側にはそれぞれ横方向に穿孔され、洗面器の底面部に設置されたオーバーフロー通路と連通される排水空間部が形成される排水管が具備され、下部には洗面器の下部に設置された排水トラップと締結される下水管が結合されるポップアップ装置の設置構造において、上記係止突起の下端に密着されるように嵌合され、係止突起と対応する直径で形成される密着部と、上記密着部の底面から排水孔に対応する直径で延長されて形成される延長部と、上記延長部の下端の外周面に漏水を遮断するために形成される蛇腹部とを含んで構成される密着部材と；上記排水管の下部に嵌合され、排水管に対応する直径で形成されて、外周面に複数の蛇腹が形成される密閉部材と；を含んで構成され、上記密着部材を上記係止突起の下端に密着されるように嵌合し、上記密閉部材を排水管の下部に嵌合した状態で、上記排水孔に堅固に結合することを特徴とする洗面器用ポップアップ装置の設置構造及び設置方法に関する。
【背景技術】
【０００２】
一般に、浴室や化粧室などに設置される洗面台は一定量の水を入れて用いることができるようにする洗面器１´と、上記洗面器に水を供給する給水装置と、洗面器に水を貯蔵したり貯蔵された水を排水させる排水装置とが設置されていて、使用者が一定量の水を洗面器に貯蔵して多用途に使用し、使用後には排水装置を通じて排水させるようになっている。
【０００３】
上記のように、洗面台に用いられる通常の排水装置は開閉作動されながら、洗面器に水を貯蔵したり貯蔵された水を排水管で排出させるためのもので、洗面器の下部に貫通された状態で排水口を形成する排水口主体と、上記排水口主体の内側に設置されて昇降作動されながら排水口を開閉させる押しボタン式開閉装置が設置されており、通常、このような排水装置は押しボタンで作動する自動ポップアップ装置またはレバー式で作動する手動ポップアップ装置が設置されて用いられている。
【０００４】
上記排水口主体は垂直に立てられた円筒状のパイプ状に排水口を形成し、上端部の外周面には係止突起が突出して形成されて、洗面器の下部に垂直に貫通して締結される排水口主体が安定的に係止されて締結されるようになっており、上記排水口主体の下部には通常の固定ナット及び排水管がねじ締結式で結合されるようになっており、上記排水口主体の中間部分の左右両側にはそれぞれ排水孔が穿孔されているが、上記排水孔は洗面器の底面部に設置されたオーバーフロー通路と連通されるようになっていて、洗面器の上部に穿孔されたオーバーフローホールを通じて溢れる水が上記オーバーフロー通路を経て排水孔に流入されながら、排水管を通じて外部に排出される。
【０００５】
このようなポップアップ装置の一例として、大韓民国登録実用新案公報第２０−０４４１７５９号に排水栓が便利に開閉して、使用者に便宜を提供するポップアップ装置が開示されている。
【０００６】
上記ポップアップ装置は栓を押しボタン式開閉装置を通じて容易に開閉ことができるという長所があるが、排水管と排水トラップを固定ナットを通じて締結する方式を使用した。このような結合方式は施工が複雑で、取替え及びメンテナンス作業が難しいという問題点があった。
【０００７】
例えば、上記ポップアップ装置を洗面台に設置する時、洗面台が設置される壁面と上記排水管との間の空間が狭小で、固定ナットを締めるための工具がその空間に入ることができなくなり、このような理由で洗面台に上記ポップアップ装置を先に結合した後、洗面台を壁面に設置した。
【０００８】
最近、洗面台の下部に位置する排水トラップの露出を防止し、インテリアーの效果を向上させるために、多様な形状の造形物が設置される。
【０００９】
しかし、上記ポップアップ装置の場合、髪の毛や異物によって上記ポップアップ装置が塞がれたり製品の破損によって取替えが必要な場合、上記固定ナットを解くためには、まず造形物を解体してこそポップアップ装置の取替えまたはメンテナンスが可能な問題点があり、また、解体された造形物が破損される問題点がある。これにより作業者が事故に露出される問題点があり、このような造形物が設置されない洗面台でも空間が狭小で、固定ナットを解くための工具を挿入しにくいため、専門家に助けを要請しなければならないという問題点があった。
【発明の開示】
【発明が解決しようとする課題】
【００１０】
本発明は上記のような問題点を解決するためのもので、押しボタン式開閉装置が具備される自動ポップアップ装置を洗面台に施工する際に、ポップアップ装置と排水トラップとを固定する固定ナットの固定または解体作業が困難で、施工、取替え、異物の除去及び洗浄作業が難しい問題点を解決することを目的とする。
【課題を解決するための手段】
【００１１】
上記のような問題点を解決するために、本発明は洗面器用ポップアップ装置の設置構造及び設置方法に関するもので、洗面器に設置され、上端部には洗面器に形成された排水孔に密着される係止突起が形成され、中間部分の左右両側にはそれぞれ横方向に穿孔され、洗面器の底面部に設置されたオーバーフロー通路と連通される排水空間部が形成される排水管が具備され、下部には洗面器の下部に設置された排水トラップと締結される下水管が結合されるポップアップ装置の設置構造において、上記係止突起の下端に密着されるように嵌合され、係止突起に対応する直径で形成される密着部と、上記密着部の底面から排水孔に対応する直径で延長されて形成される延長部と、上記延長部の下端の外周面に漏水を遮断するために形成される蛇腹部とを含んで構成される密着部材と；上記排水管の下部に嵌合され、排水管に対応する直径で形成されて、外周面に複数の蛇腹が形成される密閉部材と；を含んで構成され、上記密着部材を上記係止突起の下端に密着されるように嵌合し、上記密閉部材を排水管の下部に嵌合した状態で、上記排水孔に堅固に挿入することを特徴とする。
【００１２】
また、上記密着部材と密閉部材は、その間に連結部と一体型に形成されていることを特徴とする。
【００１３】
また、上記連結部は排水空間部と連通されるように対応される位置に排水溝が形成されていることを特徴とする。
【００１４】
また、洗面器に設置され、上端部には洗面器に形成された排水孔に密着される係止突起が形成され、中間部分の左右両側にはそれぞれ横方向に穿孔され、洗面器の底面部に設置されたオーバーフロー通路と連通される排水空間部が形成される排水管が具備され、下部には洗面器の下部に設置された排水トラップと締結される下水管が結合されるポップアップ装置の設置方法において、洗面器の下部に設置された排水トラップと下水管を結合する段階と；上記下水管を洗面器に形成された排水孔を貫通するように引いて、洗面器の内部に位置させる段階と；上記係止突起と対応する直径で形成される密着部と、上記密着部の底面から排水孔に対応する直径で延長されて形成される延長部と、上記延長部の下端の外周面に漏水を遮断するために形成される蛇腹部とを含んで構成される密着部材を上記係止突起の下端に嵌合する段階と；上記排水管に対応する直径で形成され、外周面に複数の蛇腹が形成される密閉部材を上記排水管の下部に嵌合する段階と；上記排水管と下水管を結合した後、排水孔に堅固に挿入する段階と；で構成されることを特徴とする。
【発明の効果】
【００１５】
上記のように構成される本発明は別途の工具なしに、手で施工作業を容易に行うことができ、施工時間が短縮され、故障または漏水による取替えまたはメンテナンス作業が容易である。
【００１６】
また、本発明はポップアップ装置と、パッキングと、下水管との結合及び分離が容易であるので、各構成要素の取替え作業が容易で、特に洗面器に造形物が設置されていても造形物を解体する必要がない。
【００１７】
また、従来の洗面器の下部に設置された排水トラップを取替えるための作業が容易である。
【００１８】
また、従来に設置された自動ポップアップ装置にも本発明によるパッキングを嵌合して、事後取替えまたはメンテナンス作業が簡便に行われる。
【００１９】
また、従来の自動ポップアップ装置において、ポップアップ装置と排水トラップとを固定するための固定ナットが必要なく、固定ナットを嵌合するために排水管の外周面に形成される螺糸山が必要でないので、加工費用を減らすことができる。
【図面の簡単な説明】
【００２０】
【図１】従来のポップアップ装置を説明するための例示図である。
【図２】従来のポップアップ装置を説明するための例示図である。
【図３】従来のポップアップ装置を説明するための例示図である。
【図４】本発明によるポップアップ装置を説明するための例示図である。
【図５】本発明によるポップアップ装置を説明するための例示図である。
【図６】本発明による密着部材を説明するための例示図である。
【図７】本発明による密閉部材を説明するための例示図である。
【図８】本発明による密閉部材を説明するための例示図である。
【図９】本発明による密閉部材を説明するための例示図である。
【図１０】本発明の実施例を示す例示図である。
【図１１】本発明の実施例を示す例示図である。
【図１２】本発明の実施例を示す例示図である。
【発明を実施するための最良の形態】
【００２１】
以下、説明される実施例は本発明の技術的特徴を理解させるのに最も適切な実施例に基づいて説明するが、説明される実施例によって本発明の技術的特徴が制限されるのではなく、以下で説明される実施例と一緒に本発明が具現されることができるということを例示するのである。したがって、本発明は以下で説明された実施例を通じて本発明の技術範囲内で多様に変形して実施することが可能であり、このような変形実施例は本発明の技術範囲内に属するとすべきである。また、以下で説明される実施例をより明確に理解させるために添付された図面に記載した符号において、各実施例で同じ作用をする構成要素に係わる構成要素は同一または延長線上の数字で表記した。
【００２２】
上記のような本発明の特徴をより明確に理解させるために、以下、本発明の実施例に係わる洗面器用ポップアップ装置についてより詳細に説明する。
【００２３】
本発明は洗面器用ポップアップ装置の設置構造及び設置方法に関するもので、洗面器１に設置され、上端部には洗面器に形成された排水孔２に密着される係止突起１３が形成され、中間部分の左右両側にはそれぞれ横方向に穿孔され、洗面器の底面部に設置されたオーバーフロー通路４と連通される排水空間部１４が形成される排水管１１が具備され、下部には洗面器の下部に設置された排水トラップ８と締結される下水管７が結合されるポップアップ装置１０の設置構造において、上記係止突起１３の下端に密着されるように嵌合され、係止突起に対応する直径で形成される密着部２１と、上記密着部の底面から排水孔に対応する直径で延長されて形成される延長部２２と、上記延長部の下端の外周面に漏水を遮断するために形成される蛇腹部２３とを含んで構成される密着部材２０と；上記排水管１１の下部に嵌合され、排水管に対応する直径で形成されて、外周面に複数の蛇腹３１が形成される密閉部材３０と；を含んで構成され、上記密着部材２０を上記係止突起１３の下端に密着されるように嵌合し、上記密閉部材３０を排水管１１の下部に嵌合した状態で、上記排水孔２に堅固に挿入することを特徴とする洗面器用ポップアップ装置の設置構造及び設置方法に関する。
【００２４】
上記ポップアップ装置１０は洗面器１に形成された排水孔２を開閉するための栓１２が具備される排水管１１と、上記排水管とねじ結合される下水管７とで構成される。
【００２５】
上記排水管１１は上記栓１２とねじ結合される押しボタン式開閉装置１５が内部に設置され、上端部には係止突起１３が形成され、中間部分の左右両側にはそれぞれ横方向に穿孔された排水空間部１４が形成され、下部の内週面には下水管とねじ結合するための螺糸山（図示ない）が形成される。
【００２６】
上記排水空間部１４は洗面器の底面部に設置されたオーバーフロー通路４と連通され、上記下水管７は洗面器の下部に設置された排水トラップ（図示ない）と締結される。
【００２７】
上記排水トラップは、一側が上記下水管と締結され、他側は底面を貫通するように設置され、現場状況に合わせて長さを調節することができる蛇腹管が具備されるもので、通常現場で使用される排水トラップを意味する。
【００２８】
上記押しボタン式開閉装置１５は上部にねじ結合された栓を押し動作を通じて上昇または下降するようにして、洗面器に形成された排水孔を開閉するようにする役割を果たすもので、このような押しボタン式開閉装置は自動ポップアップ装置に広く用いられるもので、このように公知された構成及び作動方法に対する詳細な説明は省略する。
【００２９】
本発明による密着部材を図６を通じて説明する。
【００３０】
上記密着部材２０は上記係止突起１３の下端に密着されるように嵌合され、上記ポップアップ装置１０を排水孔２に挿入した時、上記排水孔を遮断して、水が係止突起と排水孔との間に漏水されることを遮断する役割を果たす。
【００３１】
上記密着部材２０は上記係止突起の下端に密着されるように嵌合され、係止突起に対応する直径で形成される密着部２１と、上記密着部の底面から排水孔に対応する直径で延長されて形成される延長部２２と、上記延長部の下端の外周面に漏水を遮断するために形成される蛇腹部２３とを含んで構成される。
【００３２】
また、上記密着部材２０は上記排水管に嵌合された時、排水管に形成された排水空間部を遮断しないように、延長部の長さはこれに対応するように形成されることが好ましい。
【００３３】
上記密着部材に形成された蛇腹部２３は係止突起１３と排水孔２との間の隙に漏水された水がこれ以上落ちないように排水孔の内部を遮断する役割を果たし、上記蛇腹部は排水孔の内部に挿入されるように、上記密着部より小さい直径で形成されることが好ましい。
【００３４】
上記密閉部材３０は排水管１１に対応する直径で形成されて、上記排水管に嵌合され、上記排水空間部１４の下側に位置するように結合され、上記下水管７と排水管１１を結合した状態で、排水孔に堅固に挿入したり排水孔から容易に取り出すことが容易になるように外周面に複数の蛇腹３１が形成されることを特徴とする。
【００３５】
図２及び図３によれば、従来にはポップアップ装置１００´を洗面器に堅固に固定するために、別途の固定ナット５´が必要となり、これを締め付けるための工具が必ず必要であったが、本発明は密閉部材に形成された複数の蛇腹が排水孔内部で排水管を堅固に固定するので、作業者が別途の工具やフランジなしに施工可能な長所があり、固定ナットを挿入するために、排水管１２０の外周面に螺糸山を形成する加工作業を省略することもできる。
【００３６】
一方、上記密着部材２０と密閉部材３０は上記排水管に容易に挿入したり分離されるように伸縮性の優れたゴムやシリコーンなどの材質からなることができ、上記密着部材と密閉部材の材質は本発明の権利範囲に限定されない。
【００３７】
図８及び図９によれば、本発明による密着部材２０と密閉部材３０は、その間に連結部４０が一体型に形成され、このように一体型に形成される場合、上記排水空間部１４に対応される位置に排水溝４１が形成されることが好ましい。
【００３８】
一般に、上記洗面器に盛られた水がオーバーフロー通路４に沿って移動して上記排水空間部１４に投入される時、上記連結部に排水溝４１が形成されていない場合、上記排水孔を通過した水が排水空間部に排出されないで、オーバーフロー通路に溜まって、悪臭が発生したり逆流現象が発生することができる。
【００３９】
上記のように構成される本発明による洗面器用ポップアップ装置の設置方法を説明すれば次の通りである。
【００４０】
洗面器１の下部に設置された排水トラップ（図示ない）と下水管７を結合し、上記排水トラップと結合された下水管を洗面器に形成された排水孔を貫通するように引いて、洗面器の内部に位置させる。
【００４１】
次に、上記排水管１１に密着部材２０と密閉部材３０とを嵌合する。
【００４２】
上記密着部材２０は上記係止突起１３の下端に密着されるように嵌合され、上記密閉部材３０は上記排水空間部１４を遮断しないように、その下部に嵌合される。
【００４３】
この時、上記密着部材２０は上記係止突起１３に対応する直径で形成される密着部２１と、上記密着部の底面から排水孔に対応する直径で延長されて形成される延長部２２と、上記延長部の下端の外周面に漏水を遮断するために形成される蛇腹部２３とを含んで構成される。
【００４４】
また、上記密閉部材３０は上記排水管１１に対応する直径で形成されて、外周面に複数の蛇腹３１が形成されることを特徴とする。
【００４５】
次に、上記排水管１１と下水管７をねじ結合した後、上記排水孔２に堅固に挿入すると、上記下水管７は排水孔２を貫通して洗面器の外部に露出され、上記排水管１１は複数の蛇腹３１によって排水孔の内部に円滑に挿入され、上記密着部材が上記排水孔に安着されながらポップアップ装置の施工が完了される。
【図１】
2015507113.tif 000003
【図２】
2015507113.tif 000004
【図３】
2015507113.tif 000005
【図４】
2015507113.tif 000006
【図５】
2015507113.tif 000007
【図６】
2015507113.tif 000008
【図７】
2015507113.tif 000009
【図８】
2015507113.tif 000010
【図９】
2015507113.tif 000011
【図１０】
2015507113.tif 000012
【図１１】
2015507113.tif 000013
【図１２】
2015507113.tif 000014
【国際調査報告】
2015507113.tif 000015
2015507113.tif 000016
2015507113.tif 000017
2015507113.tif 000018